(57)【要約】  本発明の穿刺針を用いた翼状針（１）は、先端に針先（２１）を有する針体（２）と、針体（２）の基端側に設けられたハブ（３）と、ハブ（３）に設けられ、ハブ（３）を介して互いに反対方向に向かって突出した一対の翼（４ａ、４ｂ）と、ハブ（３）の基端側に接続された可撓性を有するチューブ（５）と、針体（２）を生体に穿刺した穿刺状態で、生体の表面に存在する血液を吸収可能な吸収材（６）とを有する。この吸収材（６）は、針体（２）の長手方向の途中、ハブ（３）の穿刺状態で生体側に位置する面、および、ハブ（３）の先端部のうちの少なくとも一部に設けられている。
2013136967.tif 000002
【特許請求の範囲】
【請求項１】
先端に針先を有する針体と、
前記針体の基端側に設けられたハブと、
前記針体を生体に穿刺した穿刺状態で、前記生体の表面に存在する血液を吸収および／または凝固可能な吸収材とを有することを特徴とする穿刺針。
【請求項２】
前記吸収材は、前記針体の長手方向の途中、前記ハブの前記穿刺状態で前記生体側に位置する面、および、前記ハブの先端部のうちの少なくとも一部に設けられている請求項１に記載の穿刺針。
【請求項３】
さらに、前記ハブに設けられ、該ハブを介して互いに反対方向に向かって突出した一対の翼を有し、
前記吸収材は、前記針体の長手方向の途中、前記ハブの前記穿刺状態で前記生体側に位置する面、前記ハブの先端部、前記翼の前記穿刺状態で前記生体側に位置する面、および、前記翼の先端部のうちの少なくとも一部に設けられている請求項１または２に記載の穿刺針。
【請求項４】
前記針体の長手方向の途中に設けられた前記吸収材は、前記針体の周方向の全体を覆っている請求項２または３に記載の穿刺針。
【発明の詳細な説明】
【技術分野】
【０００１】
本発明は、穿刺針に関する。
【背景技術】
【０００２】
穿刺針は、一般に、針体と、針体の基端部に設けられたハブとで構成され、さらに、使用後に針体に付着した血液を吸収するための吸収体を設けたものがある（例えば、特許文献１参照）。ここで、針体を生体に対し穿刺する際またはその後の操作の際に、生体から出血し、その表面（皮膚上）に血液が流れ出ることがある。【０００３】
しかしながら、特許文献１に記載の吸収体は、針体を生体から抜去した後に、針体に付着した血液を吸収することはできるが、針体を生体に穿刺した穿刺状態で、生体の表面に存在する血液を吸収することはできない。【０００４】
このように穿刺状態で生体の表面に存在する血液を放置すると、この血液が周辺に飛散したりすることにより、看護師等の医療従事者に接触して、血液感染する危険性が高まる。
【先行技術文献】
【特許文献】
【０００５】
【特許文献１】特開２００２−３１５８２９号公報
【発明の概要】
【発明が解決しようとする課題】
【０００６】
本発明の目的は、針体を生体に穿刺した穿刺状態で、生体の表面に存在する血液を吸収して、不用意な皮膚への接触などによる血液汚染の危険性を低減した穿刺針を提供することにある。
【課題を解決するための手段】
【０００７】
このような目的は、下記（１）〜（４）の本発明により達成される。
（１）  先端に針先を有する針体と、
前記針体の基端側に設けられたハブと、
前記針体を生体に穿刺した穿刺状態で、前記生体の表面に存在する血液を吸収および／または凝固可能な吸収材とを有することを特徴とする穿刺針。【０００８】
（２）  前記吸収材は、前記針体の長手方向の途中、前記ハブの前記穿刺状態で前記生体側に位置する面、および、前記ハブの先端部のうちの少なくとも一部に設けられている上記（１）に記載の穿刺針。【０００９】
（３）  さらに、前記ハブに設けられ、該ハブを介して互いに反対方向に向かって突出した一対の翼を有し、
前記吸収材は、前記針体の長手方向の途中、前記ハブの前記穿刺状態で前記生体側に位置する面、前記ハブの先端部、前記翼の前記穿刺状態で前記生体側に位置する面、および、前記翼の先端部のうちの少なくとも一部に設けられている上記（１）または（２）に記載の穿刺針。【００１０】
（４）  前記針体の長手方向の途中に設けられた前記吸収材は、前記針体の周方向の全体を覆っている上記（２）または（３）に記載の穿刺針。【００１１】
また、本発明の穿刺針では、前記針体の全長をＡ［ｃｍ］としたとき、前記針体の長手方向の途中に設けられた前記吸収材の前記針体の長手方向に沿った長さは、０．１Ａ〜０．７Ａであるのが好ましい。【００１２】
また、本発明の穿刺針では、前記吸収材は、前記ハブに接触して設けられているのが好ましい。【００１３】
また、本発明の穿刺針では、前記吸収材は、親水性を有する発泡体および親水性を有する不織布のうちの少なくとも一方で構成されているのが好ましい。【００１４】
また、本発明の穿刺針では、前記発泡体の空孔率は、５０〜９５％であるのが好ましい。【００１５】
また、本発明の穿刺針では、前記吸収材は、ポリウレタン、ポリビニルアルコール、ポリアミド、ポリスルホン、ポリシーラルスルホン、ポリビニルピロリドン、ポリアクリルアミド、ポリアクリレート、ポリメタクリルレートおよびセルロースか、これらの材料のアロイ（混合体）からなる群より選択される少なくとも１種を含む材料で構成されているのが好ましい。
また、本発明の穿刺針では、前記吸収材は、血液凝固剤を含むのが好ましい。
【発明の効果】
【００１６】
本発明によれば、吸収材を有するため、針体を生体に穿刺することにより、生体の表面に血液が漏れ出しても、その血液を吸収材で吸収することができる。このため、不用意な皮膚への接触などによる血液汚染の危険性を低減することができる。
【図面の簡単な説明】
【００１７】
【図１】図１は、翼状針の第１実施形態を示す斜視図である。
【図２】図２は、図１に示す翼状針の側面図である。
【図３】図３は、翼状針の第２実施形態を示す斜視図である。
【図４】図４は、図３に示す翼状針の拡大側面図である。
【図５】図５は、翼状針の第３実施形態を示す斜視図である。
【図６】図６は、図５に示す翼状針の拡大側面図である。
【発明を実施するための形態】
【００１８】
以下、本発明の穿刺針を添付図面に示す好適な実施形態に基づいて詳細に説明する。なお、以下では、本発明の穿刺針を翼状針（留置針）に適用した場合を代表に説明する。
【００１９】
＜第１実施形態＞
図１は、翼状針の第１実施形態を示す斜視図、図２は、図１に示す翼状針の側面図である。なお、以下では、説明の都合上、図１中の上側および図２中の左下側を「先端」、図１中の下側および図２中の右上側を「基端」と言う。
【００２０】
翼状針１は、針体２と、針体２の基端側に設けられたハブ３と、一対の翼４ａ、４ｂと、ハブ３の基端側に接続された可撓性を有するチューブ５と、血液を吸収可能な吸収材６を有している。
【００２１】
針体２は、例えば、ステンレス鋼、アルミニウムまたはアルミニウム合金、チタンまたはチタン合金のような金属材料で構成され、その先端には、鋭利な針先２１が形成されている。この針体２は、血液等の体液あるいは輸液等の流路となる中空部を有する針管で構成されており、針体２の先端部には、液体が出入りする出入口２２が形成されている。
【００２２】
針体２の全長は、特に限定されないが、２０〜７０ｍｍ程度であるのが好ましく、３０〜５０ｍｍ程度であるのがより好ましい。
【００２３】
また、針体２の外径は、０．３〜１．５ｍｍ程度であるのが好ましく、０．５〜１ｍｍ程度であるのがより好ましい。
【００２４】
針体２の基端外周部には、円筒状のハブ３が液密に固着されている。ハブ３の内部には、液体の流路となる中空部が形成されている。
【００２５】
翼４ａ、４ｂは、平板状をなし、ハブ３を介して互いに反対方向に向かって突出している。本実施形態では、翼４ａ、４ｂは、ハブ３と一体的に形成されているが、それらの根元部同士が連結して１枚の平板状をなし、この上にハブ３が接合した構成であってもよい。
【００２６】
翼４ａ、４ｂは、可撓性を有し、翼４ａ、４ｂの根元部付近が屈曲または湾曲することにより、開閉可能に構成されている。翼４ａ、４ｂの根元部付近には、開閉を容易にするため、薄肉部が形成されている。
【００２７】
針体２を生体に対し穿刺する際には、翼４ａ、４ｂを指で摘んで閉じた状態とし、穿刺の操作を行う。また、針体２を留置する際には、翼４ａ、４ｂを開いた状態とし、翼４ａ、４ｂを粘着テープ等により皮膚に固定する。
【００２８】
図１および図２に示すように、ハブ３の基端側には、体液あるいは輸液等の流路となる可撓性を有するチューブ５が液密に接続されており、このチューブ５の内腔は、針体２の内腔に連通している。
【００２９】
ハブ３、翼４ａ、４ｂ、チューブ５の構成材料としては、それぞれ、特に限定されないが、例えば、ポリエチレン、ポリプロピレン、エチレン−酢酸ビニル共重合体等のポリオレフィン、ポリ塩化ビニル、ポリブタジエン、ポリアミド、ポリエステル等が挙げられる。
【００３０】
なお、内部の視認性を確保するために、これらは、透明または半透明な材料で構成されているのが好ましい。
【００３１】
また、針体２の長手方向の途中には、吸収材６が設けられている。この吸収材６は、針体２を生体に穿刺した穿刺状態で、生体の表面に存在する血液を吸収可能である。これにより、穿刺操作の際やその後の処置で、生体の表面に血液が漏出しても、この血液を吸収材６で吸収することができる（図２参照）。その結果、看護師等の医療従事者が血液感染する危険性を低減することができる。
【００３２】
本実施形態では、吸収材６は、針体２の周方向の全体を覆う円筒状をなし、かつ、ハブ３に接触して設けられている。これにより、吸収材６のサイズをできる限り大きくすることができ、吸収材６で吸収し得る血液の量を増大することができる。また、針体２の長さが過剰に長くなるのが抑制され、吸収材６から露出する針体２の先端部の長さを十分に確保できる。このため、翼状針１の操作性の低下を防止し得る。
【００３３】
ここで、針体２の全長をＡ［ｃｍ］としたとき、吸収材６の針体２の長手方向に沿った長さＢは、０．１Ａ〜０．７Ａ程度であるのが好ましく、０．２Ａ〜０．６５Ａ程度であるのがより好ましい。これにより、吸収材６で吸収し得る血液の量を十分に増大することができるとともに、翼状針１の操作性の低下をより確実に防止し得る。
【００３４】
また、吸収材６の外径は、ハブ３の外径と同じであるのが好ましい。これにより、穿刺操作時に吸収材６が邪魔になるのを防止することができる。
【００３５】
このような吸収材６は、親水性を有する発泡体、親水性を有する不織布、親水性を有する織布等が挙げられ、これらのうちの１種または２種以上を組み合わせて用いることができるが、特に、親水性を有する発泡体および親水性を有する不織布のうちの少なくとも一方で構成されるのが好ましい。吸収材６が親水性を有することにより、吸収材６の血液を吸収する能力をより増大することができる。
【００３６】
吸収材６を発泡体で構成する場合、その空孔率は、５０〜９５％程度であるのが好ましく、６５〜９０％程度であるのがより好ましい。発泡体の空孔率を前記範囲とすることにより、吸収材６は、血液を吸収する能力を十分に維持しつつ、十分な強度も得ることができる。
【００３７】
吸収材６は、親水性を有する各種材料で構成することができるが、特に、ポリウレタン、ポリビニルアルコール、ポリアミド、ポリスルホン、ポリシーラルスルホン、ポリビニルピロリドン、ポリアクリルアミド、ポリアクリレート、ポリメタクリルレートおよびセルロースか、これらの材料のアロイ（混合体）からなる群より選択される少なくとも１種を含む材料で構成されているのが好ましい。これにより、吸収材６の親水性をより向上させることができる。
【００３８】
また、吸収材６は、血液凝固剤を含んでいるのが好ましい。これにより、吸収材６に吸収された血液を吸収材６内で凝固させることができる。このため、血液が再度吸収材６から漏れ出るのをより確実に防止することができる。
【００３９】
かかる血液凝固剤としては、例えば、塩化カルシウム、トロンビン、ビタミンＫ、ＡＤＰ、コラーゲン、フィブリン、ゼラチン、アルボン酸ナトリウム等が挙げられる。
【００４０】
次に、翼状針１の使用方法の一例について説明する。
［１］  針体２を生体に穿刺する操作を行う際には、翼４ａ、４ｂを指で摘む。これにより、翼４ａ、４ｂの上面同士が対向するようにして、翼４ａ、４ｂを閉じた状態とする。この状態で、針体２が生体（血管）に穿刺される。
【００４１】
［２］  翼４ａ、４ｂから指を放すと、翼４ａ、４ｂは、その弾性力により開いた状態となる。その後、翼４ａ、４ｂを粘着テープ等により皮膚に固定することにより、翼状針１が生体に留置される。
【００４２】
［３］  翼状針１の使用後は、粘着テープを剥がして皮膚に対する固定を解除する。そして、前記［１］と同様に、翼４ａ、４ｂを閉じた状態として針体２を生体から抜去する。このとき、針体２を生体に穿刺した際またはその後の操作の際に、出血（皮膚上に流血）しても、翼状針１では、その血液を吸収材６が吸収する。したがって、指に血液が付着することを防止することができ、血液感染の危険性を回避（低減）することができる。
【００４３】
なお、吸収材６は、ハブ３から離間していてもよい。また、吸収材６は、針体２の周方向の一部を覆うように、すなわち、穿刺状態で針体２の生体側に位置する面に選択的に設けるようにしてもよい。
【００４４】
＜第２実施形態＞
図３は、翼状針の第２実施形態を示す斜視図、図４は、図３に示す翼状針の拡大側面図である。なお、以下では、説明の都合上、図３中の上側および図４中の左下側を「先端」、図３中の下側および図４中の右上側を「基端側」と言う。
【００４５】
以下、第２実施形態について、前記第１実施形態との相違点を中心に説明し、同様の事項については、その説明を省略する。
【００４６】
第２実施形態の翼状針１は、吸収材６の配置位置が異なること以外は、前記第１実施形態と同様である。
【００４７】
図３および図４に示すように、ハブ３には、その先端部に外径が縮径した縮径部（段差部）３１が形成されている。この縮径部３１に、リング状の第１の吸収部６１が設けられている。
【００４８】
また、ハブ３の下面３２（穿刺状態で生体側に位置する面）には、シート状の第２の吸収部６２が設けられている（図４参照）。
【００４９】
すなわち、本実施形態では、吸収材６は、第１の吸収部６１と第２の吸収部６２とで構成されている。
【００５０】
このような第２実施形態の翼状針１によっても、前記第１実施形態の翼状針１と同様の作用・効果を生ずる。
【００５１】
なお、吸収材６では、第１の吸収部６１および第２の吸収部６２のうちのいずれか一方を省略することができる。
【００５２】
＜第３実施形態＞
図５は、翼状針の第３実施形態を示す斜視図、図６は、図５に示す翼状針の拡大側面図である。なお、以下では、説明の都合上、図５中の上側および図６中の左下側を「先端」、図５中の下側および図６中の右上側を「基端」と言う。
【００５３】
以下、第３実施形態について、前記第１および第２実施形態との相違点を中心に説明し、同様の事項については、その説明を省略する。
【００５４】
第３実施形態の翼状針１は、吸収材６の配置位置が異なること以外は、前記第１実施形態と同様である。
【００５５】
図５および図６に示すように、翼４ａ、４ｂの先端面４１には、帯状（長尺状）の第３の吸収部６３が設けられている。また、翼４ａ、４ｂの下面４２（穿刺状態で生体側に位置する面）には、シート状の第４の吸収部６４が設けられている。
【００５６】
すなわち、本実施形態では、吸収材６は、第３の吸収部６３と第４の吸収部６４とで構成されている。なお、第４の吸収部６４は、翼４ａ、４ｂの下面４２の全面に設けるようにしてもよいが（図６参照）、好ましくは、針体２の穿刺操作および抜去操作を行う際に、翼４ａ、４ｂを指で触れる部分を除いて設けられる。
【００５７】
このような第３実施形態の翼状針１によっても、前記第１実施形態の翼状針１と同様の作用・効果を生ずる。
【００５８】
なお、吸収材６では、第３の吸収部６３および第４の吸収部６４のうちのいずれか一方を省略することができる。
【００５９】
以上、本発明の穿刺針を図示の実施形態について説明したが、本発明は、これらに限定されるものではなく、穿刺針を構成する各部は、同様の機能を発揮し得る任意の構成のものと置換することができる。また、任意の構成物が付加されていてもよい。
【００６０】
また、本発明では、前記第１〜第３実施形態の任意の構成を組み合わせるようにしてもよい。
また、例えば、穿刺針は、翼やチューブを有さないものであってもよい。
【産業上の利用可能性】
【００６１】
本発明の穿刺針は、先端に針先を有する針体と、前記針体の基端側に設けられたハブと、前記針体を生体に穿刺した穿刺状態で、前記生体の表面に存在する血液を吸収および／または凝固可能な吸収材とを有する。そのため、針体を生体に穿刺した穿刺状態で、生体の表面に存在する血液を吸収して、不用意な皮膚への接触などによる血液汚染の危険性を低減する。
従って、本発明の穿刺針は、産業上の利用可能性を有する。
【符号の説明】
【００６２】
１              翼状針
２              針体
２１            針先
２２            出入口
３              ハブ
３１            縮径部
３２            下面
４ａ、４ｂ      翼
４１            先端面
４２            下面
５              チューブ
６              吸収材
６１            第１の吸収部
６２            第２の吸収部
６３            第３の吸収部
６４            第４の吸収部
Ａ、Ｂ          長さ
【図１】
2013136967.tif 000003
【図２】
2013136967.tif 000004
【図３】
2013136967.tif 000005
【図４】
2013136967.tif 000006
【図５】
2013136967.tif 000007
【図６】
2013136967.tif 000008
【国際調査報告】
2013136967.tif 000009
2013136967.tif 000010